(57)【要約】【課題】  安価な構造で遠隔操作を確実に行うこと。【解決手段】  透光性樹脂からなる略砲弾形透光体５と、該透光体５の後部に組み込んだ素子本体６とからなる発光素子ＬＥＤがリモコン本体の前面に設けられており、該リモコン本体の操作部を操作して発光素子ＬＥＤから信号を乗せた光ビームａを前方に投射するようにしたリモコン送信機において、前記発光素子ＬＥＤから投射する光ビームａの光軸Ｏ上でその光ビームａの投射角αを広げる広角手段７が設けられており、その広角手段７が、前記透光体５の前面に凹設した奥すぼまりのテーパ孔８と、該テーパ孔８の内周面に形成したハーフミラー１０とを有し、該ハーフミラー１０で光ビームａを反射させてその光ビームａの投射角αを広げるようにした。【選択図】        図３
2007020034.tif 000002
【特許請求の範囲】
【請求項１】
透光性樹脂からなる略砲弾形透光体と、該透光体の後部に組み込んだ素子本体とからな
る発光素子がリモコン本体の前面に設けられ、該リモコン本体の前面を覆うハーフミラー
板が角度調整可能に設けられており、該リモコン本体の操作部を操作して発光素子から信
号を乗せた光ビームをハーフミラー板を通過して前方に投射させると同時にその光ビーム
をハーフミラー板で反射させて前方とは違う方向に投射するようにしたリモコン送信機に
おいて、前記ハーフミラー板に代えて、前記発光素子から投射する光ビームの光軸上でそ
の光ビームの投射角を広げる広角手段が設けられており、その広角手段が、前記透光体の
前面に凹設した奥すぼまりのテーパ孔と、該テーパ孔の内周面に形成したハーフミラーと
からなり、該ハーフミラーで光ビームを反射させてその光ビームの投射角を広げるように
したことを特徴とするリモコン送信機。
【請求項２】
透光性樹脂からなる略砲弾形透光体と、該透光体の後部に組み込んだ素子本体とからな
る発光素子がリモコン本体の前面に設けられ、該リモコン本体の前面を覆うハーフミラー
板が角度調整可能に設けられており、該リモコン本体の操作部を操作して発光素子から信
号を乗せた光ビームをハーフミラー板を通過して前方に投射させると同時にその光ビーム
をハーフミラー板で反射させて前方とは違う方向に投射するようにしたリモコン送信機に
おいて、前記ハーフミラー板に代えて、前記発光素子から投射する光ビームの光軸上でそ
の光ビームの投射角を広げる広角手段が設けられており、その広角手段が、前記透光体の
前面に該透光体と同心状に一体突設した先すぼまりの透光性コーンと、該コーンの外周面
に形成したハーフミラーとからなり、該ハーフミラーで光ビームを反射させてその光ビー
ムの投射角を広げるようにしたことを特徴とするリモコン送信機。
【請求項３】
透光性樹脂からなる略砲弾形透光体と、該透光体の後部に組み込んだ素子本体とからな
る発光素子がリモコン本体の前面に設けられ、該リモコン本体の前面を覆うハーフミラー
板が角度調整可能に設けられており、該リモコン本体の操作部を操作して発光素子から信
号を乗せた光ビームをハーフミラー板を通過して前方に投射させると同時にその光ビーム
をハーフミラー板で反射させて前方とは違う方向に投射するようにしたリモコン送信機に
おいて、前記ハーフミラー板に代えて、前記発光素子から投射する光ビームの光軸上でそ
の光ビームの投射角を広げる広角手段が設けられており、その広角手段が、前記リモコン
本体の前面に着脱可能に配置した透光性前面パネルと、該前面パネルの後面に発光素子と
同心状に凹設した奥すぼまりのテーパ孔と、該テーパ孔の内周面に形成したハーフミラー
とからなり、該ハーフミラーで光ビームを反射させてその光ビームの投射角を広げるよう
にしたことを特徴とするリモコン送信機。
【請求項４】
透光性樹脂からなる略砲弾形透光体と、該透光体の後部に組み込んだ素子本体とからな
る発光素子がリモコン本体の前面に設けられており、該リモコン本体の操作部を操作して
発光素子から信号を乗せた光ビームを投射するようにしたリモコン送信機において、前記
発光素子から投射する光ビームの光軸上でその光ビームの投射角を広げる広角手段が設け
られていることを特徴とするリモコン送信機。
【請求項５】
前記広角手段が前記透光体の前面に形成されたハーフミラーを有し、該ハーフミラーで
光ビームを反射させてその光ビームの投射角を広げるようにしたことを特徴とする請求項
４に記載のリモコン送信機。
【請求項６】
前記ハーフミラーが、前記透光体の前面に凹設した奥すぼまりのテーパ孔に嵌入する透
光性コーンの外周面に形成されていることを特徴とする請求項５記載のリモコン送信機。
【請求項７】
前記ハーフミラーが、前記透光体の前面に凹設した奥すぼまりのテーパ孔の内周面に形
成されていることを特徴とする請求項５に記載のリモコン送信機。
【請求項８】
前記ハーフミラーが、前記透光体の前面に該透光体と同心状に一体突設した先すぼまり
の透光性コーンの外周面に形成されていることを特徴とする請求項５に記載のリモコン送
信機。
【請求項９】
前記広角手段が、前記リモコン本体の前面に着脱可能に配置した透光性前面パネルと、
該前面パネルの発光素子対向部に部分的に形成されたハーフミラーとを有し、該ハーフミ
ラーで光ビームを反射させてその光ビームの投射角を広げるようにしたことを特徴とする
請求項４に記載のリモコン送信機。
【請求項１０】
前記ハーフミラーが、前記前面パネルの前面に発光素子と同心状に凹設した奥すぼまり
のテーパ孔に嵌入する透光性コーンの外周面に形成されていることを特徴とする請求項９
に記載のリモコン送信機。
【請求項１１】
前記ハーフミラーが、前記前面パネルの前面に凹設した奥すぼまりのテーパ孔の内周面
に形成されていることを特徴とする請求項９に記載のリモコン送信機。
【請求項１２】
前記ハーフミラーが、前記前面パネルの後面に発光素子と同心状に凹設した奥すぼまり
のテーパ孔に嵌入する透光性コーンの外周面に形成されていることを特徴とする請求項９
に記載のリモコン送信機。
【請求項１３】
前記ハーフミラーが、前記前面パネルの後面に凹設した奥すぼまりのテーパ孔の内周面
に形成されていることを特徴とする請求項９に記載のリモコン送信機。
【発明の詳細な説明】
【技術分野】
【０００１】
本発明は、例えばディスク装置（ＤＶＤプレーヤ及びＤＶＤレコーダ）やテレビジョン
受像機などの電子機器を遠隔操作するためのリモコン送信機に関し、特に安価な構造で遠
隔操作を確実に行うことができるようにしたものである。
【背景技術】
【０００２】
従来、リモコン送信機の一例として図１１に示すものがある。これは、赤外発光ダイオ
ード（以下、発光素子と称する）ＬＥＤがリモコン本体１の前面１ａに設けられたもので
あって、該リモコン本体１の各種押釦２ａからなる操作部２を操作して発光素子ＬＥＤか
ら信号を乗せた光ビームａを投射し、その光ビームａを例えばディスク装置（ＤＶＤプレ
ーヤ及びＤＶＤレコーダ）やテレビジョン受像機などの被制御機器（図示せず）の受光部
に受光させて、その被制御機器を遠隔操作する。
【０００３】
上記構成では、発光素子ＬＥＤから投射される光ビームａの投射角αがその直進性によ
り狭いため、その発光素子ＬＥＤの向きが被制御機器の受光部から少し位置ずれするだけ
で、その光ビームａが受光されず、被制御機器が応答しないという不都合が生じることが
ある。
【０００４】
上記問題点を解消する技術として特許文献１に記載したものある。これは、図１１に仮
想線で示すように、リモコン本体１の前面１ａを覆うハーフミラー板３が角度調整可能に
設けられたものであって、発光素子ＬＥＤから信号を乗せた光ビームａをハーフミラー板
３を通過して前方に投射させると同時にその光ビームａをハーフミラー板３で反射させて
前方とは違う方向に投射するものである。
【特許文献１】特開昭６４−５１７９６号公報
【発明の開示】
【発明が解決しようとする課題】
【０００５】
上記従来の構成では、光ビームａの投射角αを広げるものではなく、ハーフミラー板３
で反射させた光ビームａを例えば車内の天井で反射させ、その反射ビームが被制御機器の
受光部に達することにより、該被制御機器を応答させるものであって、これでは、反射ビ
ームが反射して被制御機器の受光部に達するという条件下でしか作動しない。また、高価
な大型のハーフミラー板３を使用しており、これでは製作費が高くつく。
【０００６】
本発明は、上記従来の欠点に鑑み、安価な構造で遠隔操作を確実に行うことができるよ
うにしたリモコン送信機を提供することを目的としている。
【課題を解決するための手段】
【０００７】
上記目的を達成するため、請求項１は、透光性樹脂からなる略砲弾形透光体と、該透光
体の後部に組み込んだ素子本体とからなる発光素子がリモコン本体の前面に設けられ、該
リモコン本体の前面を覆うハーフミラー板が角度調整可能に設けられており、該リモコン
本体の操作部を操作して発光素子から信号を乗せた光ビームをハーフミラー板を通過して
前方に投射させると同時にその光ビームをハーフミラー板で反射させて前方とは違う方向
に投射するようにしたリモコン送信機において、前記ハーフミラー板に代えて、前記発光
素子から投射する光ビームの光軸上でその光ビームの投射角を広げる広角手段が設けられ
ており、その広角手段が、前記透光体の前面に凹設した奥すぼまりのテーパ孔と、該テー
パ孔の内周面に形成したハーフミラーとからなり、該ハーフミラーで光ビームを反射させ
てその光ビームの投射角を広げるようにしたことを特徴としている。
【０００８】
請求項２に記載の発明は、透光性樹脂からなる略砲弾形透光体と、該透光体の後部に組
み込んだ素子本体とからなる発光素子がリモコン本体の前面に設けられ、該リモコン本体
の前面を覆うハーフミラー板が角度調整可能に設けられており、該リモコン本体の操作部
を操作して発光素子から信号を乗せた光ビームをハーフミラー板を通過して前方に投射さ
せると同時にその光ビームをハーフミラー板で反射させて前方とは違う方向に投射するよ
うにしたリモコン送信機において、前記ハーフミラー板に代えて、前記発光素子から投射
する光ビームの光軸上でその光ビームの投射角を広げる広角手段が設けられており、その
広角手段が、前記透光体の前面に該透光体と同心状に一体突設した先すぼまりの透光性コ
ーンと、該コーンの外周面に形成したハーフミラーとからなり、該ハーフミラーで光ビー
ムを反射させてその光ビームの投射角を広げるようにしたことを特徴としている。
【０００９】
請求項３に記載の発明は、透光性樹脂からなる略砲弾形透光体と、該透光体の後部に組
み込んだ素子本体とからなる発光素子がリモコン本体の前面に設けられ、該リモコン本体
の前面を覆うハーフミラー板が角度調整可能に設けられており、該リモコン本体の操作部
を操作して発光素子から信号を乗せた光ビームをハーフミラー板を通過して前方に投射さ
せると同時にその光ビームをハーフミラー板で反射させて前方とは違う方向に投射するよ
うにしたリモコン送信機において、前記ハーフミラー板に代えて、前記発光素子から投射
する光ビームの光軸上でその光ビームの投射角を広げる広角手段が設けられており、その
広角手段が、前記リモコン本体の前面に着脱可能に配置した透光性前面パネルと、該前面
パネルの後面に発光素子と同心状に凹設した奥すぼまりのテーパ孔と、該テーパ孔の内周
面に形成したハーフミラーとからなり、該ハーフミラーで光ビームを反射させてその光ビ
ームの投射角を広げるようにしたことを特徴としている。
【００１０】
請求項４に記載の発明は、透光性樹脂からなる略砲弾形透光体と、該透光体の後部に組
み込んだ素子本体とからなる発光素子がリモコン本体の前面に設けられており、該リモコ
ン本体の操作部を操作して発光素子から信号を乗せた光ビームを投射するようにしたリモ
コン送信機において、前記発光素子から投射する光ビームの光軸上でその光ビームの投射
角を広げる広角手段が設けられていることを特徴としている。
【００１１】
請求項５に記載の発明は、請求項４に記載の考案において、前記広角手段が前記透光体
の前面に形成されたハーフミラーを有し、該ハーフミラーで光ビームを反射させてその光
ビームの投射角を広げるようにしたことを特徴としている。
【００１２】
請求項６に記載の発明は、請求項５に記載の発明において、前記ハーフミラーが、前記
透光体の前面に凹設した奥すぼまりのテーパ孔に嵌入する透光性コーンの外周面に形成さ
れていることを特徴としている。
【００１３】
請求項７に記載の発明は、請求項５に記載の発明において、前記ハーフミラーが、前記
透光体の前面に凹設した奥すぼまりのテーパ孔の内周面に形成されていることを特徴とし
ている。
【００１４】
請求項８に記載の発明は、請求項５に記載の発明において、前記ハーフミラーが、前記
透光体の前面に該透光体と同心状に一体突設した先すぼまりの透光性コーンの外周面に形
成されていることを特徴としている。
【００１５】
請求項９に記載の発明は、請求項４に記載の発明において、前記広角手段が、前記リモ
コン本体の前面に着脱可能に配置した透光性前面パネルと、該前面パネルの発光素子対向
部に部分的に形成されたハーフミラーとを有し、該ハーフミラーで光ビームを反射させて
その光ビームの投射角を広げるようにしたことを特徴としている。
【００１６】
請求項１０に記載の発明は、請求項９に記載の発明において、前記ハーフミラーが、前
記前面パネルの前面に発光素子と同心状に凹設した奥すぼまりのテーパ孔に嵌入する透光
性コーンの外周面に形成されていることを特徴としている。
【００１７】
請求項１１に記載の発明は、請求項９に記載の発明において、前記ハーフミラーが、前
記前面パネルの前面に凹設した奥すぼまりのテーパ孔の内周面に形成されていることを特
徴としている。
【００１８】
請求項１２に記載の発明は、請求項９に記載の発明において、前記ハーフミラーが、前
記前面パネルの後面に発光素子と同心状に凹設した奥すぼまりのテーパ孔に嵌入する透光
性コーンの外周面に形成されていることを特徴としている。
【００１９】
請求項１３に記載の発明は、請求項９に記載の発明において、前記ハーフミラーが、前
記前面パネルの後面に凹設した奥すぼまりのテーパ孔の内周面に形成されていることを特
徴としている。
【発明の効果】
【００２０】
請求項１に記載の発明は第２の実施の形態（図３参照）に対応するものであって、これ
によれば、発光素子から投射した光ビームをテーパ孔の内周面に形成したハーフミラーで
反射させて、その光ビームの投射角を所望通りに広げているので、発光素子の向きが被制
御機器の受光部から少しぐらい位置ずれしても、光ビームが確実に受光されてその被制御
機器を応答させることができ、特に、前記テーパ孔を透光体の前面に形成しており、部品
点数が増加しないから、経済的である。
【００２１】
請求項２に記載の発明は第３の実施の形態（図４参照）に対応するものであって、これ
によれば、請求項１に記載の発明とほぼ同様の効果を得ることができ、特に、コーンを透
光体の前面に一体突設しているから、部品点数が増加せず、経済的である。
【００２２】
請求項３に記載の発明は第７の実施の形態（図１０参照）に対応するものであって、こ
れによれば、請求項１に記載の発明とほぼ同様の効果を得ることができ、特に、ハーフミ
ラーが透光性前面パネルのテーパ孔内に部分的に形成されているだけであり、その形成範
囲が極めて小さいから、製作費が安くつく。また、前記前面パネルを既存のリモコン本体
の前面に装着するだけでよいから、使い勝手がよい。更に、前記テーパ孔が前面パネルの
後面に形成されて外部に露出されていないので、外観上の体裁が良好である。
【００２３】
請求項４に記載の発明によれば、発光素子から投射する光ビームの投射角を広角手段で
広げているので、その発光素子の向きが被制御機器の受光部から少しぐらい位置ずれして
も、光ビームが確実に受光されて被制御機器を応答させることができる。
【００２４】
請求項５に記載の記載の発明によれば、光ビームをハーフミラーで反射させて、その光
ビームの投射角を所望通りに広げることができ、特に、前記ハーフミラーが発光素子の透
光体を利用して形成されており、その形成範囲が極めて小さいから、製作費が安くつく。
【００２５】
請求項６に記載の発明によれば、光ビームを透光性コーンの外周面に形成したハーフミ
ラーで反射させて、その光ビームの投射角を所望通りに広げることができ、特に、前記コ
ーンが発光素子の透光体の前面に凹設した奥すぼまりのテーパ孔に嵌入されており、その
コーンが目立たないから、発光素子の外観上の体裁を良好に保持することができると共に
、そのコーンによりテーパ孔が塞がれているので、そのテーパ孔内に塵埃が溜まることが
なく、光ビームを長期にわたって確実に投射させることができる。
【００２６】
請求項７に記載の発明によれば、光ビームをテーパ孔の内周面に形成したハーフミラー
で反射させて、その光ビームの投射角を所望通りに広げることができ、特に、前記テーパ
孔を透光体の前面に形成しており、部品点数が増加せず、経済的である。
【００２７】
請求項８に記載の発明によれば、光ビームを透光性コーンの外周面に形成したハーフミ
ラーで反射させて、その光ビームの投射角を所望通りに広げることができ、特に、前記コ
ーンを透光体の前面に一体突設しているから、部品点数が増加せず、経済的である。
【００２８】
請求項９に記載の発明によれば、光ビームをハーフミラーで反射させて、その光ビーム
の投射角を所望通りに広げることができ、特に、前記ハーフミラーがリモコン本体の前面
に配置した透光性前面パネルの発光素子対向部に部分的に形成されているだけであり、そ
の形成範囲が極めて小さいから、製作費が安くつく。また、前記前面パネルを既存のリモ
コン本体の前面に装着するだけでよいから、使い勝手がよい。
【００２９】
請求項１０に記載の発明によれば、光ビームを透光性コーンの外周面に形成したハーフ
ミラーで反射させて、その光ビームの投射角を所望通りに広げることができ、特に、前記
コーンが前面パネルの前面に凹設した奥すぼまりのテーパ孔に嵌入されており、そのコー
ンが目立たないから、前面パネルの外観上の体裁を良好に保持することができると共に、
そのコーンによりテーパ孔が塞がれているので、そのテーパ孔内に塵埃が溜まることがな
く、光ビームを長期にわたって確実に投射させることができる。
【００３０】
請求項１１に記載の発明によれば、光ビームをテーパ孔の内周面に形成したハーフミラ
ーで反射させて、その光ビームの投射角を所望通りに広げることができ、特に、前記テー
パ孔を前面パネルの前面に形成しており、その前面パネル以外は部品点数が増加せず、経
済的である。
【００３１】
請求項１２に記載の発明によれば、請求項１０に記載の発明とほぼ同様の効果を得るこ
とができ、特に、前面パネルの外側からテーパ孔及びコーンが見えないので、外観上の体
裁が良好である。
【００３２】
請求項１３に記載の発明によれば、請求項１１に記載の発明とほぼ同様の効果を得るこ
とができ、特に、テーパ孔が前面パネルの後面に形成されて外部に露出されていないので
、外観上の体裁が良好である。
【発明を実施するための最良の形態】
【００３３】
図１及び図２は本発明の第１の実施の形態であるリモコン送信機を示すものであって、
リモコン本体１の前面１ａに設けた発光素子ＬＥＤが、エポキシ樹脂などの透光性樹脂か
らなる略砲弾形透光体５と、該透光体５の後部に組み込んだ素子本体６とからなり、その
発光素子ＬＥＤから投射する光ビームａの光軸Ｏ上でその光ビームａの投射角αを広げる
広角手段７が設けられている。上記以外の構成で図１１に示す構成と同一部分に同一符号
を付してその説明を省略する。
【００３４】
前記広角手段７は、透光体５の前面に凹設した奥すぼまりのテーパ孔８と、該テーパ孔
８に嵌入する透光性コーン９と、該コーン９の外周面に形成されたハーフミラー１０とを
有し、前記コーン９はエポキシ樹脂などの透光性樹脂により截頭円錐形に形成され、その
コーン９によりテーパ孔８の開口部が塞がれている。前記ハーフミラー１０は、インコー
ネルやアルミなどの金属や誘電体物質をコーン９の外周面に蒸着させたものであって、そ
の光透過率は適宜に設定されるが、５０％が適当である。
【００３５】
上記構成によれば、コーン９の外周面に形成したハーフミラー１０により発光素子ＬＥ
Ｄから投射する光ビームａの投射角αを所望通りに広げることができ、これによって、発
光素子ＬＥＤの向きが被制御機器の受光部（図示せず）から少しぐらい位置ずれしても、
光ビームａが確実に受光されて被制御機器を応答させることができる。また、ハーフミラ
ー１０が発光素子ＬＥＤの透光体５を利用してその前面に形成されており、その形成範囲
が極めて小さいから、製作費が安くつく。更に、コーン９が透光体５のの前面に凹設した
奥すぼまりのテーパ孔８に嵌入されており、そのコーン９が目立たないから、発光素子Ｌ
ＥＤの外観上の体裁を良好に保持することができると共に、そのコーン９によりテーパ孔
８が塞がれているので、そのテーパ孔８内に塵埃が溜まることがなく、光ビームａを長期
にわたって確実に投射させることができる。
【００３６】
具体的寸法の一例を示すと、テーパ孔８の奥面の外径ｒ（及びコーン９の小径側外径ｒ
）が１．５〜３ｍｍ、テーパ孔８の深さｈ（及びコーン９の高さｈ）が２〜３．５ｍｍ、
テーパ孔８（及びコーン９）のテーパ角βが、１３°〜２３°（好ましくは１６°〜２０
°）である。テーパ角βが１３°未満の場合には、光ビームａの投射角αがあまり広がら
ず、被制御機器の受光部における受光率が悪くなり、テーパ角βが２３°を超える場合に
は、光ビームａの投射角αが広がり過ぎて、被制御機器の受光部に光ビームａの信号が伝
わり難くなる。テーパ角βを１３°〜２３°（好ましくは１６°〜２０°）に設定するこ
とにより、被制御機器の受光部に光ビームａを確実に受光させることができる。
【００３７】
図３は本発明の第２の実施の形態であるリモコン送信機の要部を示すものであって、ハ
ーフミラー１０が、透光体５の前面に凹設した奥すぼまりのテーパ孔８の内周面に形成さ
れており、第１の実施の形態（図１及び図２参照）とは、コーン９を設けていない点を除
いてほぼ同じであるから、同一部分に同一符号を付してその説明を省略する。
【００３８】
上記構成によれば、第１の実施の形態（図１及び図２参照）と同じように、光ビームａ
をテーパ孔８の内周面に形成したハーフミラー１０で反射させて、その光ビームａの投射
角αを所望通りに広げることができ、特に、前記テーパ孔８を透光体５の前面に形成して
いるから、部品点数が増加せず、経済的である。
【００３９】
図４は本発明の第３の実施の形態であるリモコン送信機の要部を示すものであって、ハ
ーフミラー１０が、透光体５の前面に該透光体５と同心状に一体突設した先すぼまりの透
光性コーン９の外周面に形成されている。上記以外の構成は第１の実施の形態（図１及び
図２参照）とほぼ同じであるから、同一部分に同一符号を付してその説明を省略する。
【００４０】
上記構成によれば、第１の実施の形態（図１及び図２参照）と同じように、光ビームａ
を透光性コーン９の外周面に形成したハーフミラー１０で反射させて、その光ビームａの
投射角αを所望通りに広げることができ、特に、コーン９を透光体５の前面に一体突設し
ているから、部品点数が増加せず、経済的である。
【００４１】
図５〜図７は本発明の第４の実施の形態であるリモコン送信機を示すものであって、広
角手段７が、リモコン本体１の前面１ａに配置した透光性前面パネル１２と、該前面パネ
ル１２の前面に発光素子ＬＥＤと同心状に凹設した奥すぼまりのテーパ孔８と、該テーパ
孔８に嵌入する透光性コーン９と、該コーン９の外周面に形成されたハーフミラー１０と
を有しており、前記前面パネル１２は、エポキシ樹脂などの透光性樹脂により成形され、
その両端から後方に折れ曲がる左右一対の側板１２ａをリモコン本体１の前部両側面の凹
段部１ｂに嵌入させ、該各側板１２ａに一体突設した突起部１２ｂを各凹段部１ｂのスト
ッパ孔１ｃに係合させることにより、その前面パネル１２がリモコン本体１の前面１ａに
着脱可能に配置されている。上記以外の構成は第１の実施の形態（図１及び図２参照）と
ほぼ同じであるから、同一部分に同一符号を付してその説明を省略する。
【００４２】
上記構成によれば、第１の実施の形態（図１及び図２参照）と同じように、光ビームａ
をハーフミラー１０で反射させて、その光ビームａの投射角αを所望通りに広げることが
でき、特に、ハーフミラー１０がリモコン本体１の前面１ａに配置した透光性前面パネル
１２の発光素子ＬＥＤ対向部に部分的に形成されているだけであり、その形成範囲が極め
て小さいから、製作費が安くつく。また、前記前面パネル１２を既存のリモコン本体１の
前面１ａに装着するだけでよいから、使い勝手がよい。更に、コーン９が前面パネル１２
の前面に凹設した奥すぼまりのテーパ孔８に嵌入されており、そのコーン９が目立たない
から、前面パネル１２の外観上の体裁を良好に保持することができると共に、そのコーン
９によりテーパ孔８が塞がれているので、そのテーパ孔８内に塵埃が溜まることがなく、
光ビームａを長期にわたって確実に投射させることができる。
【００４３】
図８は本発明の第５の実施の形態であるリモコン送信機の要部を示すものであって、ハ
ーフミラー１０が、前面パネル１２の前面に凹設した奥すぼまりのテーパ孔８の内周面に
形成されており、第４の実施の形態（図５〜図７参照）とは、コーン９を設けていない点
を除いてほぼ同じであるから、同一部分に同一符号を付してその説明を省略する。
【００４４】
上記構成によれば、第４の実施の形態（図５〜図７参照）と同じように、光ビームａを
テーパ孔８の内周面に形成したハーフミラー１０で反射させて、その光ビームａの投射角
αを所望通りに広げることができ、特に、テーパ孔８を前面パネル１２の前面に形成して
おり、その前面パネル１２以外は部品点数が増加せず、経済的である。
【００４５】
図９は本発明の第６の実施の形態であるリモコン送信機の要部を示すものであって、ハ
ーフミラー１０が、前面パネル１２の後面に発光素子ＬＥＤと同心状に凹設した奥すぼま
りのテーパ孔８に嵌入する透光性コーン９の外周面に形成されており、第４の実施の形態
（図５〜図７参照）とは、コーン９及びテーパ孔８の位置が異なる点を除いてほぼ同じで
あるから、同一部分に同一符号を付してその説明を省略する。
【００４６】
上記構成によれば、第４の実施の形態（図５〜図７参照）とほぼ同じ効果を得ることが
でき、特に、前面パネル１２の外側からテーパ孔８及びコーン９が見えないので、外観上
の体裁が良好である。
【００４７】
図１０は本発明の第７の実施の形態であるリモコン送信機の要部を示すものであって、
ハーフミラー１０が、前面パネル１２の後面に凹設した奥すぼまりのテーパ孔８の内周面
に形成されており、第６の実施の形態（図９参照）とは、コーン９を設けていない点を除
いてほぼ同じであるから、同一部分に同一符号を付してその説明を省略する。
【００４８】
上記構成によれば、第５の実施の形態（図８参照）とほぼ同じ効果を得ることができ、
特に、テーパ孔８が前面パネル１２の後面に形成されて外部に露出されていないので、外
観上の体裁が良好である。
【図面の簡単な説明】
【００４９】
【図１】本発明の第１の実施の形態であるリモコン送信機を示す斜視図である。
【図２】（ａ）は同要部の分解斜視図、（ｂ）は同要部の一部切欠き側面図である。
【図３】（ａ）は本発明の第２の実施の形態であるリモコン送信機の要部を示す斜視図、（ｂ）は同要部の一部切欠き側面図である。
【図４】（ａ）は本発明の第３の実施の形態であるリモコン送信機の要部を示す斜視図、（ｂ）は同要部の一部切欠き側面図である。
【図５】本発明の第４の実施の形態であるリモコン送信機を示す斜視図である。
【図６】（ａ）は同リモコン本体の前部付近の縦断面図、（ｂ）は同リモコン本体の前部付近の水平断面図である。
【図７】（ａ）は同要部の分解斜視図、（ｂ）は同要部の一部切欠き側面図である。
【図８】（ａ）は本発明の第５の実施の形態であるリモコン送信機の要部を示す斜視図、（ｂ）は同要部の一部切欠き側面図である。
【図９】（ａ）は本発明の第６の実施の形態であるリモコン送信機の要部を示す分解斜視図、（ｂ）は同要部の一部切欠き側面図である。
【図１０】（ａ）は本発明の第７の実施の形態であるリモコン送信機の要部を示す斜視図、（ｂ）は同要部の一部切欠き側面図である。
【図１１】従来例を示す斜視図である。
【符号の説明】
【００５０】
１          リモコン本体
１ａ        リモコン本体の前面
２          操作部
３          ハーフミラー板
５          透光体
６          素子本体
７          広角手段
８          テーパ孔
９          コーン
１０        ハーフミラー
１２        前面パネル
ＬＥＤ      発光素子
Ｏ          光軸
ａ          光ビーム
α          光ビームの投射角
【図１】
2007020034.tif 000003
【図２】
2007020034.tif 000004
【図３】
2007020034.tif 000005
【図４】
2007020034.tif 000006
【図５】
2007020034.tif 000007
【図６】
2007020034.tif 000008
【図７】
2007020034.tif 000009
【図８】
2007020034.tif 000010
【図９】
2007020034.tif 000011
【図１０】
2007020034.tif 000012
【図１１】
2007020034.tif 000013